【事件の表示】
　特許第６２３９０１８号発明「映像ストリーミング方法」の特許異議申立事件について、次のとおり決定する。
【結　論】
　特許第６２３９０１８号の特許請求の範囲を訂正請求書に添付された訂正特許請求の範囲のとおり、訂正後の請求項〔８、９、１８〜２３〕について訂正することを認める。
　特許第６２３９０１８号の請求項１、８、９、１５、１８、１９に係る特許を取り消す。
　特許第６２３９０１８号の請求項２０〜２３に係る特許を維持する。
【理　由】
第１　手続の経緯
　特許第６２３９０１８号（以下、「本件特許」という。）の請求項１〜１９に係る特許についての出願は、平成２８年（２０１６年）２月２９日（パリ条約による優先権主張２０１５年３月５日、英国）に特許出願され、平成２９年１１月１０日にその特許権の設定登録（特許公報発行日　平成２９年１１月２９日）がされ、その後、特許異議申立人新井誠一により請求項１、８、９、１５、１８、１９に対して特許異議の申立てがされたものである。
　そして、その後の経緯は次のとおりである。
　平成３０年　８月　６日付け　取消理由通知
　　　　同年１１月　２日　　　意見書の提出（特許権者）
　平成３１年　３月１８日付け　取消理由通知（予告）
　令和　元年　６月１３日　　　訂正請求書、意見書の提出（特許権者）
　　　　同年　７月　３日付け　手続補正指令（方式）
　　　　同年　７月３０日　　　手続補正書の提出
　　　　同年　９月　６日　　　意見書の提出（特許異議申立人）
　　　　同年１０月２４日付け　訂正拒絶理由通知
　　　　同年１２月　４日　　　手続補正書の提出
第２　訂正の適否について
１　手続補正の適否について
（１）訂正拒絶理由の要旨
　当審が令和元年１０月２４日付けで特許権者に通知した訂正拒絶理由の要旨は、「令和元年６月１３日付け訂正請求（以下、「本件訂正」という。）は、訂正事項５及び訂正事項６の訂正において、特許法第１２０条の５第２項ただし書の規定に適合しないから、訂正後の請求項〔１、４、５、７、８、９、１８、１９、２０、２１、２２、２３〕、１５について訂正することを認めない」というものである。
（２）本件補正の内容
　請求人が令和元年１２月４日に提出した手続補正書による補正（以下、「本件補正」という。）は、訂正請求書及び訂正特許請求の範囲を対象とするものであって、その内容は以下のとおりのものと認める。
　なお、以下ア〜コの補正事項を、「補正事項ア」〜「補正事項コ」という。
ア　訂正請求書１頁の「３　訂正の請求に係る請求項の数」を「１３」から「８」へと補正する。
イ　訂正請求書１頁の「６　請求の趣旨」を「特許第６２３９０１８号（以下、「本件特許」という）の特許請求の範囲を本件訂正請求書に添付した訂正特許請求の範囲のとおり、訂正後の請求項１，４，５，７，８，９，１５，１８，１９，２０，２１，２２，２３について訂正することを求める。」から「特許第６２３９０１８号（以下、「本件特許」という）の特許請求の範囲を本件訂正請求書に添付した訂正特許請求の範囲のとおり、訂正後の請求項８，９，１８，１９，２０，２１，２２，２３について訂正することを求める。」へと補正する。
ウ　訂正請求書２頁の「７　請求の理由」における「（１）一群の請求項１，４，５，７，８，９，１８，１９に係る訂正」との記載を、「（１）一群の請求項８，９，１８，１９に係る訂正」に補正する。
エ　訂正請求書３頁の「２）訂正事項」における「オ　訂正事項５」に係る以下の記載を削除する。
「オ　訂正事項５
特許請求の範囲の請求項１に「前記パノラマ映像を２つ以上のサブストリームに分割すること、但し、少なくとも１つのサブストリームは前記現在視野にあり、少なくとも１つのサブストリームは前記現在視野の外側にある、前記分割すること」とあるのを、「前記パノラマ映像を２つ以上のサブストリームに分割すること、但し、少なくとも１つのサブストリームは前記現在視野にあり、少なくとも１つのサブストリームは前記現在視野の外側にあ
り、前記現在視野にあるサブストリームの数は２つ以上でありう
オ　訂正請求書３〜４頁の「ア　一群の請求項についての説明」に係る記載において、「さらに、訂正前の請求項１，４，５，７，８，９，１８，１９について、請求項４，５，７，８，９，１８，１９はいずれも請求項１を引用し、訂正事項５によって記載が訂正される請求項１に連動して訂正されるものである。従って、訂正前の請求項１，４，５，７，８，９，１８，１９に対応する訂正後の請求項１，４，５，７，８，９，１８，１９は、特許法第１２０条の５第４項に規定する一群の請求項である。」との記載を削除するとともに、「以上から、訂正後の請求項１，４，５，７，８，９，１８，１９，２０，２１，２２，２３は、特許法第１２０条の５第４項に規定する一群の請求項である。」との記載を「以上から、訂正後の請求項８，９，１８，１９，２０，２１，２２，２３は、特許法第１２０条の５第４項に規定する一群の請求項である。」に補正する。
カ　訂正請求書６〜８頁の「イ　訂正事項が全ての訂正要件に適合している事実の説明」における「（オ）訂正事項５」に係る記載を削除する。
キ　訂正請求書８〜１０頁の「（２）請求項１５に係る訂正」に係る記載を削除する。なお、前記記載中の「２）訂正事項」における「カ　訂正事項６」に係る記載は以下のとおりである。
「カ　訂正事項６
　特許請求の範囲の請求項１５に「前記パノラマ映像を２つ以上のサブストリームに分割する手段、但し、少なくとも１つのサブストリームは前記現在視野にあり、少なくとも１つのサブストリームは前記現在視野の外側にある、前記分割する手段」とあるのを、「前記パノラマ映像を２つ以上のサブストリームに分割する手段、但し、少なくとも１つのサブストリームは前記現在視野にあり、少なくとも１つのサブストリームは前記現在視野の外側にあ
り、前記現在視野にあるサブストリームの数は２つ以上でありう
ク　訂正請求書１０頁の「ウ　別の訂正単位とする求め」に係る記載を削除する。
ケ　訂正特許請求の範囲の請求項１における「・　前記パノラマ映像を２つ以上のサブストリームに分割すること、但し、少なくとも１つのサブストリームは前記現在視野にあり、少なくとも１つのサブストリームは前記現在視野の外側にあ
り、前記現在視野にあるサブストリームの数は２つ以上でありう
コ　訂正特許請求の範囲の請求項１５における「・　前記パノラマ映像を２つ以上のサブストリームに分割する手段、但し、少なくとも１つのサブストリームは前記現在視野にあり、少なくとも１つのサブストリームは前記現在視野の外側にあ
り、前記現在視野にあるサブストリームの数は２つ以上でありう
（３）本件補正についての当審の判断
　補正事項エ及び訂正事項ケは、訂正事項５を削除するものである。
　補正事項キ及び訂正事項コは、訂正事項６を削除するものである。
　補正事項アは、訂正事項５及び訂正事項６の削除に対応して、訂正事項５に係る請求項１、４、５、７、及び、訂正事項６に係る請求項１５の訂正を行わないものとするから、訂正の請求に係る請求項の数を「８」へと補正するものである。
　補正事項イは、訂正事項５及び訂正事項６の削除に対応して、訂正事項５に係る請求項１、４、５、７、及び、訂正事項６に係る請求項１５の訂正を行わないものとするから、請求の趣旨における訂正後の請求項の番号の「１、４、５、７、１５」を削除するものである。
　補正事項ウ、補正事項オ及び補正事項カは、訂正事項５の削除に対応して、請求の理由における訂正事項５に係る説明及び訂正を行わないものとする請求項１、４、５、７の番号を削除するものである。
　補正事項クは、別の訂正単位とする求めを削除するものである。
　以上のとおり補正事項ア〜補正事項コは、訂正事項５及び訂正事項６の削除、又は、別の訂正単位とする求めの削除に対応したものであるから、本件補正は審判請求書の要旨を変更するものではない。よって、本件補正は特許法第１３１条の２第１項の規定に適合するから、本件補正を認める。
　そして、当審による上記訂正拒絶理由（「（１）　訂正拒絶理由の要旨」）は、訂正拒絶理由の対象となっていた訂正事項５及び訂正事項６に係る訂正が本件補正により削除されたから、解消した。
２　訂正請求の趣旨、訂正の内容
（１）訂正請求の趣旨
　本件訂正請求の趣旨は、本件特許の特許請求の範囲を本件訂正請求書に添付した訂正特許請求の範囲のとおり、訂正後の請求項８，９，１８，１９，２０，２１，２２，２３について訂正することを求める、というものである。
（２）訂正の内容
　本件訂正請求書における訂正の内容は、次のとおりである。
ア　訂正事項１
　特許請求の範囲の請求項８の引用関係を一部解消し、「請求項１〜７のいずれか」１項に従属するもの（訂正前の請求項８）から、請求項１のみに従属するもの（訂正後の請求項８）と、「請求項２〜７のいずれか１項」に従属するもの（訂正後の請求項２０）とに分割することにより、請求項８を訂正する。請求項８の記載を直接的又は間接的に引用する請求項１８、請求項１９についても同様に訂正する。
イ　訂正事項２
　特許請求の範囲の請求項９の引用関係を一部解消し、「請求項１〜７のいずれか」１項に従属するもの（訂正前の請求項９）から、請求項１のみに従属するもの（訂正後の請求項９）と、「請求項２〜７のいずれか１項」に従属するもの（訂正後の請求項２１）とに分割することにより、請求項９を訂正する。請求項９の記載を直接的又は間接的に引用する請求項１８、請求項１９についても同様に訂正する。
ウ　訂正事項３
　特許請求の範囲の請求項１８の引用関係を一部解消し、「請求項１から１４のいずれか」に従属するもの（訂正前の請求項１８）から、請求項１、訂正後の請求項８，訂正後の請求項９のいずれかに従属するもの（訂正後の請求項１８）と、請求項２〜７、請求項１０〜１４、訂正後の請求項２０、訂正後の請求項２１のいずれか１項に従属するもの（訂正後の請求項２２）とに分割することにより、請求項１８を訂正する。
エ　訂正事項４
　特許請求の範囲の請求項１９の引用関係を一部解消し、「請求項１から１４のいずれか」に従属するもの（訂正前の請求項１９）から、請求項１、訂正後の請求項８、訂正後の請求項９のいずれかに従属するもの（訂正後の請求項１９）と、請求項２〜７、請求項１０〜１４、訂正後の請求項２０、訂正後の請求項２１のいずれか１項に従属するもの（訂正後の請求項２３）とに分割することにより、請求項１９を訂正する。
３　本件訂正についての当審の判断
（１）一群の請求項について
　訂正前の請求項８、９、１８、１９について、請求項１８、１９はいずれも請求項８、９を引用し、訂正事項１、２によってそれぞれ記載が訂正される請求項８、９に連動して訂正されるものである。
　よって、訂正前の請求項８、９、１８、１９に対応する訂正後の請求項８、９、１８〜２３は、特許法第１２０条の５第４項に規定する一群の請求項である。
（２）訂正事項１について
ア　訂正の目的について
　訂正事項１は、請求項８について、「請求項１〜７のいずれか」に従属するものから、請求項１のみに従属するもの（訂正後の請求項８）と、「請求項２〜７のいずれか」に従属するもの（訂正後の請求項２０）とに分割することであるから、特許法第１２０条の５第２項ただし書第４号に規定する、請求項間の引用関係の解消を目的とするものである。
イ　新規事項の追加の有無、特許請求の範囲の拡張又は変更について
　訂正事項１は、何ら実質的な内容の変更を伴うものではないから、特許法第１２０条の５第９項で準用する特許法第１２６条第５項及び第６項に適合するものである。
ウ　独立特許要件について
　訂正事項１は、第１２０条の５第２項ただし書第４号に規定する、請求項間の引用関係の解消を目的とする訂正であって、同第１号又は第２号に掲げる事項を目的とする訂正ではないから、請求項８に係る訂正事項１に関して、特許法第１２０条の５第９項で読み替えて準用する特許法第１２６条第７項の独立特許要件は課されない。
（３）訂正事項２について
ア　訂正の目的について
　訂正事項２は、請求項９について、「請求項１〜７のいずれか」に従属するものから、請求項１のみに従属するもの（訂正後の請求項９）と、「請求項２〜７のいずれか」に従属するもの（訂正後の請求項２１）とに分割することであるから、特許法第１２０条の５第２項ただし書第４号に規定する、請求項間の引用関係の解消を目的とするものである。
イ　新規事項の追加の有無、特許請求の範囲の拡張又は変更について
　訂正事項２は、何ら実質的な内容の変更を伴うものではないから、特許法第１２０条の５第９項で準用する特許法第１２６条第５項及び第６項に適合するものである。
ウ　独立特許要件について
　訂正事項２は、第１２０条の５第２項ただし書第４号に規定する、請求項間の引用関係の解消を目的とする訂正であって、同第１号又は第２号に掲げる事項を目的とする訂正ではないから、請求項９に係る訂正事項２に関して、特許法第１２０条の５第９項で読み替えて準用する特許法第１２６条第７項の独立特許要件は課されない。
（４）訂正事項３について
ア　訂正の目的について
　訂正事項３は、請求項１８について、「請求項１から１４のいずれか」に従属するものから、請求項１、訂正後の請求項８、訂正後の請求項９のいずれかに従属するもの（訂正後の請求項１８）と、請求項２〜７、請求項１０〜１４、訂正後の請求項２０、訂正後の請求項２１のいずれか１項に従属するもの（訂正後の請求項２２）とに分割することであるから、特許法第１２０条の５第２項ただし書第４号に規定する、請求項間の引用関係の解消を目的とするものである。
イ　新規事項の追加の有無、特許請求の範囲の拡張又は変更について
　訂正事項３は、何ら実質的な内容の変更を伴うものではないから、特許法第１２０条の５第９項で準用する特許法第１２６条第５項及び第６項に適合するものである。
ウ　独立特許要件について
　訂正事項３は、第１２０条の５第２項ただし書第４号に規定する、請求項間の引用関係の解消を目的とする訂正であって、同第１号又は第２号に掲げる事項を目的とする訂正ではないから、請求項１８に係る訂正事項３に関して、特許法第１２０条の５第９項で読み替えて準用する特許法第１２６条第７項の独立特許要件は課されない。
（５）訂正事項４について
ア　訂正の目的について
　訂正事項４は、請求項１９について、「請求項１から１４のいずれか」に従属するものから、請求項１、訂正後の請求項８、訂正後の請求項９のいずれかに従属するもの（訂正後の請求項２３）と、「請求項２〜７、請求項１０〜１４、訂正後の請求項２０、訂正後の請求項２１のいずれか１項に従属するもの（訂正後の請求項１９）とに分割することであるから、特許法第１２０条の５第２項ただし書第４号に規定する、請求項間の引用関係の解消を目的とするものである。
イ　新規事項の追加の有無、特許請求の範囲の拡張又は変更について
　訂正事項４は、何ら実質的な内容の変更を伴うものではないから、特許法第１２０条の５第９項で準用する特許法第１２６条第５項及び第６項に適合するものである。
ウ　独立特許要件について
　訂正事項４は、第１２０条の５第２項ただし書第４号に規定する、請求項間の引用関係の解消を目的とする訂正であって、同第１号又は第２号に掲げる事項を目的とする訂正ではないから、請求項１９に係る訂正事項４に関して、特許法第１２０条の５第９項で読み替えて準用する特許法第１２６条第７項の独立特許要件は課されない。
（５）小括
　以上のとおりであるから、本件訂正請求による訂正は、特許法第１２０条の５第２項ただし書第４号に掲げる事項を目的とするものであり、かつ、同条第４項、並びに、同条第９項において準用する同法第１２６条第５項及び第６項の規定に適合する。
　したがって、特許請求の範囲を、訂正請求書に添付された訂正特許請求の範囲のとおり、訂正後の請求項〔８、９、１８〜２３〕について訂正することを認める。
第３　特許異議の申立てについて
１　取消理由（決定の予告）の概要
　本件訂正前の請求項１、８、９、１５、１８、１９に係る特許に対して、当審が平成３１年３月１８日付けで特許権者に通知した取消理由（決定の予告）の要旨は、次のとおりである。
　以下の先願１により、本件訂正前の請求項１、８、９、１５、１８、１９に係る特許は、特許法第２９条の２の規定に違反してされたものである。（以下、「理由１」という。）
　以下の引用文献２〜５により、本件訂正前の請求項１、８、９、１５、１８、１９に係る特許は、特許法第２９条第２項の規定に違反してされたものである。（以下、「理由２」という。）
　先願１．国際特許出願ＰＣＴ／ＵＳ２０１５／０１８３３６
　　　　（国際公開第２０１５／１３４４００号）
　　　　（甲第１号証：特表２０１７−５１４４１１号公報）
　引用文献２．甲第２号証：特開２００４−７２６９４号公報
　引用文献３．甲第３号証：特開平８−２８９１７９号公報
　引用文献４．甲第４号証：米国特許出願公開第２０１４／０１２３１６２
　　　　　　　　　　　　　号明細書
　引用文献５．特開２０００−１３２６７３号公報
　　　　　　　（甲第２号証に従来技術として開示された特許文献）
２　本件発明
　本件特許の請求項１、１５に係る発明、及び、本件訂正請求により訂正された請求項８、９、１８〜２３に係る発明（以下、請求項順に「本件発明１〜本件発明１０」という。）は、訂正特許請求の範囲の請求項１、８、９、１５、１８〜２３に記載された次の事項により特定されるとおりのものである。
　なお、本件発明１〜６の各構成には、特許異議申立人が付した符号を援用して、「１Ａ」〜「６Ａ」の符号を当審において付した。以下、構成１Ａ〜構成６Ａと称する。
（本件発明１）
【請求項１】
１Ａ：・　パノラマ映像を受信すること；
１Ｂ：・　頭部追跡データを受信すること；
・　前記頭部追跡データに基づいて現在視野を決定すること；
１Ｃ：・　前記現在視野に基づいて前記パノラマ映像の解像度を調整すること、但し、前記現在視野は第１の解像度であり、前記現在視野の外側の解像度は第２の解像度である、前記調整すること；
・　前記現在視野に基づいて、調整後の解像度を有する前記パノラマ映像を提供すること、但し、前記第１の解像度は前記第２の解像度よりも高い、前記提供すること；
を含む方法であって、
１Ｄ：・　前記パノラマ映像を２つ以上のサブストリームに分割すること、但し、少なくとも１つのサブストリームは前記現在視野にあり、少なくとも１つのサブストリームは前記現在視野の外側にある、前記分割すること；
１Ｅ：・　前記現在視野の外側にある前記少なくとも１つのサブストリームの解像度を調整すること；
・　前記現在視野にある前記少なくとも１つのサブストリームの解像度を調整すること；
・　前記現在視野にある前記少なくとも１つのサブストリームの調整後の解像度及び前記現在視野の外側にある前記少なくとも１つのサブストリームの調整後の解像度を有する前記パノラマ映像を提供すること、但し、前記現在視野にある前記少なくとも１つのサブストリームの前記調整後の解像度は、前記現在視野の外側にある前記少なくとも１つのサブストリームの前記調整後の解像度よりも高い、前記提供すること；
をさらに含む、方法。
（本件発明２）
【請求項８】
２Ａ：前記パノラマ映像をヘッドマウントディスプレイにストリーミングすることをさらに含む、
２Ｂ：請求項１に記載の方法。
（本件発明３）
【請求項９】
３Ａ：前記パノラマ映像をモバイル装置にストリーミングすることをさらに含む、
３Ｂ：請求項１に記載の方法。
（本件発明４）
【請求項１５】
４Ａ：・　パノラマ映像を受信する手段と、
４Ｂ：・　頭部追跡データを受信する手段と、
・　前記頭部追跡データに基づいて現在視野を決定する手段と、
４Ｃ：・　前記現在視野に基づいて前記パノラマ映像の解像度を調整する手段であって、前記現在視野は第１の解像度であり、前記現在視野の外側の解像度は第２の解像度である手段と、
・　前記現在視野に基づいて、調整後の解像度を有する前記パノラマ映像を提供する手段であって、前記第１の解像度は前記第２の解像度よりも高い手段と、
を備える機器であって、
４Ｄ：・　前記パノラマ映像を２つ以上のサブストリームに分割する手段、但し、少なくとも１つのサブストリームは前記現在視野にあり、少なくとも１つのサブストリームは前記現在視野の外側にある、前記分割する手段と、
４Ｅ：・　前記現在視野の外側にある前記少なくとも１つのサブストリームの解像度を調整する手段と、
・　前記現在視野にある前記少なくとも１つのサブストリームの解像度を調整する手段と、
・　前記現在視野にある前記少なくとも１つのサブストリームの調整後の解像度及び前記現在視野の外側にある前記少なくとも１つのサブストリームの調整後の解像度を有する前記パノラマ映像を提供する手段、但し、前記現在視野にある前記少なくとも１つのサブストリームの前記調整後の解像度は、前記現在視野の外側にある前記少なくとも１つのサブストリームの前記調整後の解像度よりも高い、前記提供する手段と、
を更に備える、機器。
（本件発明５）
【請求項１８】
５Ａ：処理手段及び記憶手段を備える装置であって、
５Ｂ：前記記憶手段はプログラム命令を格納し、該プログラム命令は、前記処理手段に実行されると、前記装置に、請求項１，８，９のいずれかに記載の方法を遂行させるように構成される、装置。
（本件発明６）
【請求項１９】
６Ａ：装置の処理手段に実行されると、前記装置に、請求項１，８，９のいずれかに記載の方法を遂行させるように構成されるプログラム命令を備える、コンピュータプログラム。
（本件発明７）
【請求項２０】
　前記パノラマ映像をヘッドマウントディスプレイにストリーミングすることをさらに含む、請求項２〜７のうちいずれか一項に記載の方法。
（本件発明８）
【請求項２１】
　前記パノラマ映像をモバイル装置にストリーミングすることをさらに含む、請求項２〜７のうちいずれか一項に記載の方法。
（本件発明９）
【請求項２２】
　処理手段及び記憶手段を備える装置であって、前記記憶手段はプログラム命令を格納し、該プログラム命令は、前記処理手段に実行されると、前記装置に、請求項２〜７，１０〜１４，２０，２１のいずれか１項に記載の方法を遂行させるように構成される、装置。
（本件発明１０）
【請求項２３】
　装置の処理手段に実行されると、前記装置に、請求項２〜７，１０〜１４，２０，２１に記載の方法を遂行させるように構成されるプログラム命令を備える、コンピュータプログラム。
第４　当審の判断
１　本件発明７〜本件発明１０について
　本件発明７〜本件発明１０は、特許異議の申立ての対象とされた請求項１、８、９、１５、１８、１９のいずれを引用するものでもないから、取消理由は存在しない。
２　理由１（特許法第２９条の２）について
（１）本件発明１について
（１−１）先願
（１−１−１）国際出願明細書等の記載事項
　本件特許の優先日前の外国語特許出願であって、本件特許の国際出願の優先日の後に国際公開がされた上記先願１（以下、「先願」という。）の国際出願日における明細書、特許請求の範囲及び図面（以下、「国際出願明細書等」という。）には、以下の記載がある。なお、国際出願明細書等の記載事項に続く仮訳は、先願の公表公報である特表２０１７−５１４４１１号公報（甲第１号証）に基づく訳文である。また、下線は当審において付した。
「
FIELD
[0001] 
The present invention relates to the field of adaptive streaming of content, e.g., stereoscopic image content, and more particularly to acquiring, encoding, streaming and decoding stereoscopic video.
（仮訳）
【技術分野】
［０００１］
本願発明は、例えば立体画像等のコンテンツのアダプティブ・ストリーミング（ａｄａｐｔｉｖｅ  ｓｔｒｅａｍｉｎｇ）の分野に関し、より具体的には立体ビデオを得ること、エンコードすること、ストリーミングすること、及びデコードすることに関する。
「
SUMMARY
 [0008] 
Methods and apparatus for supporting delivery, e.g., streaming, of video or other content corresponding to a 360 degree viewing area are described.
[0009] In accordance with various embodiments 
image content, e.g., video content, corresponding to a 360 degree view of an area is partitioned into N portions where each portion corresponds to a different portion of the 360 degree view, where N is at least two.
where the 360 degree view is portioned into 3 portions, one portion corresponds to a frontal 180 degree view, a second portion corresponds to a left rear 90 degree portion and another portion corresponds to a right rear 90 degree portion.
（仮訳）
【発明の概要】
［０００８］
３６０度の視界領域に対応するビデオ又はその他のコンテンツの配信、例えばストリーミングをサポートする方法及び装置が記載される。
［０００９］種々の実施形態によれば、例えば
映像コンテンツ等の、３６０度の視界の領域に対応する画像コンテンツは、Ｎ個の部分に分割され、各部分は３６０度の視界の異なる部分に対応し、Ｎは少なくとも２である。３６０度の視界が３つの部分に分割され
ある部分は前方の１８０度の視界に対応し、第２の部分は左後ろの９０度の領域に対応し、そして残りの部分は右後ろの９０度の部分に対応する。
「[00027] Figure 1 illustrates an exemplary system 100 implemented in accordance with some embodiments of the invention. The system 900 supports content delivery, e.g., imaging content delivery, to one or more customer devices, e.g., playback devices/content players, located at customer premises. 
The system 900 includes the exemplary image capturing device 102, a content delivery system 104, a communications network 105, and a plurality of customer premises 106,..., 110.
[00028] 
The content delivery system 104 includes an encoding apparatus 112 and a content streaming device/server 114. The encoding apparatus 112 may, and in some embodiments does, include one or a plurality of encoders for encoding image data
[00029] 
The content streaming device 114 is configured to stream, e.g., transmit, encoded content for delivering the encoded image content to one or more customer devices, e.g., over the communications network 105.
（仮訳）
［０００２７］図１は、本発明のいくつかの実施形態に従って実施された例示的なシステム１００を示す。システム９００は、例えば、顧客宅内の再生装置／コンテンツプレイヤーなどの１つ以上の顧客装置への例えば画像コンテンツ配信などのコンテンツ配信をサポートする。システム９００は、例示的な
画像取り込み装置１０２、コンテンツ配信システム１０４、通信ネットワーク１０５及び複数の顧客宅内１０６，．．．，１１０を含む。
［０００２８］
コンテンツ配信システム１０４は、エンコード装置１１２及びコンテンツストリーミング装置／サーバー１１４を含む。エンコード装置１１２は、
画像データをエンコードするために複数のエンコーダを含む
［０００２９］
コンテンツストリーミング装置１１４は、例えば通信ネットワーク１０５を介して、１つ以上の顧客装置へエンコードされた画像コンテンツを配信するためのエンコードされたコンテンツをストリーム（例えば、伝送）する
「[00031] Each customer premise 106, 110 may include a plurality of devices/players, e.g., decoding apparatus to decode and playback/display the imaging content streamed by the content streaming device 114. 
Customer premise 1 106 includes a decoding apparatus/playback device 122 coupled to a display device 124
the display devices 124, 128 are head mounted stereoscopic display devices.
（仮訳）
［０００３１］各顧客宅内１０６、１１０は、例えば、コンテンツストリーミング装置１１４によってストリームされた画像コンテンツのデコード及び再生／表示を行うデコード装置のような複数の装置／再生装置を含む。顧客宅内Ｎ　１１０が表示装置１２８に結合されているデコード装置／再生装置１２６を含むのに対し、
顧客宅内１　１０６は、表示装置１２４に結合されているデコード装置／再生装置１２６を含む。
表示装置１２４
はヘッドマウント立体表示装置である。
「[00037] Figure 3 illustrates an exemplary process of encoding an exemplary 360 degree stereoscopic scene in accordance with one exemplary embodiment. 
The input to the method 300 shown in figure 3 includes 360 degree stereoscopic image data captured by, e.g., a plurality of cameras arranged to capture a 360 degree view of a scene.
[00038] In step 304 
the scene data 302 is partitioned into data corresponding to different scene areas, e.g., N scene areas corresponding to different viewing directions.
the 360 degree scene area is portioned into three partitions a left rear portion corresponding to a 90 degree portion, a front 180 degree portion and a right rear 90 degree portion.
[00039] In step 306 the data corresponding the different scene portions is encoded in accordance with the invention. In some embodiments 
each scene portion is independently encoded by multiple encoders to support multiple possible bit rate streams for each portion.
[00040] Figure 4 is a drawing 400 illustrating an example showing how an input image portion, e.g., a 180 degree front portion of a scene, is encoded using a variety of encoders to generate different encoded versions of the same input image portion.
[00041] As shown in drawing 400, an input scene portion 402 e.g., a 180 degree front portion of a scene, is supplied to a plurality of encoders for encoding. In the example there are K different encoders which encode input data with different resolutions and using different encoding techniques to generate encoded data to support different data rate streams of image content. 
The plurality of K encoders include a high definition (HD) encoder 1 404, a standard definition (SD) encoder 2 406, a reduced frame rate SD encoder 3 408,...., and a high compression reduced frame rate SD encoder K 410.
[00042] 
The HD encoder 1 404 is configured to perform full high definition (HD) encoding to produce high bit rate HD encoded image 412. The SD encoder 2 406 is configured to perform low resolution standard definition encoding to produce a SD encoded version 2 414 of the input image.
（仮訳）
［０００３７］図３は、１つの例示的な実施形態に従って例示的な３６０度の立体シーンをエンコードする例示的な処理を示す。図３に示される
方法３００への入力は、
シーンの３６０度の視界を取り込むように用意された複数のカメラによって取り込まれた３６０度の立体画像データを含む。
［０００３８］ステップ３０４では、
シーンデータ３０２は、異なるシーン領域（例えば、異なる視野角に対応するＮ個のシーン領域）に対応するデータへ分割される。
３６０度のシーン領域は３つのパーティション（９０度部分に対応する左後方部分、正面１８０度部分及び右後方９０度部分）に分割される。
［０００３９］ステップ３０６では、異なるシーン部分に対応するデータは、本発明に従ってエンコードされる。いくつかの実施形態では、
各シーン部分は、各部分について複数の可能ビットレートストリームをサポートする複数のエンコーダによって独立してエンコードされる。
［０００４０］図４は、同じ入力画像部分の異なるエンコードされたバージョンを生成するための種々のエンコーダを使用して、入力画像部分（例えば、シーンの１８０度の正面部分）が、どのようにエンコードされるかを示す図４００である。
［０００４１］図の４００に示すように、入力シーン部分４００（例えば、シーンの１８０度の正面部分）がエンコードのための複数のエンコーダに供給される。例においては、画像コンテンツの異なるデータレートストリームをサポートするために、異なるエンコード技術を使用して、異なる解像度で入力データをエンコードし、エンコードされたデータを生成するＫ個の異なるエンコーダがある。
複数のＫ個のエンコーダは、高解像度（ＨＤ）エンコーダ１  ４０４、標準解像度（ＳＤ）エンコーダ２  ４０６、低減フレームレートＳＤエンコーダ３  ４０８，．．．，高圧縮低減フレームレートＳＤエンコーダＫ  ４１０を含む。
［０００４２］
ＨＤエンコーダ１  ４０４は、高ビットレートＨＤエンコードされた画像４１２を生成するための高解像度（ＨＤ）エンコードを実行する
ＳＤエンコーダ２  ４０６は、入力画像のＳＤエンコードされたバージョン２  ４１４を生成するための低解像度の標準解像度エンコードを実行する
「[00047] Figure 6 is a flowchart 600 illustrating the steps of an exemplary method of providing image content, in accordance with an exemplary embodiment. The method of flowchart 600 is implemented in some embodiments using the capturing system shown in Figure 1.
（略）
[00050] Operation proceeds from step 608 to step 608 where the current head position of the user device from which the request for content is initialized, e.g., the current head position at the time of the request is to be the 0 degree position. The 0 degree or forward looking position may be re-initialized in some embodiments by the user with the playback device signaling that a re-initialization is to occur. 
Over time the user's head position and/or changes in the user's head position, e.g., relative to the original head position, are reported to the content delivery system 104
（略）
[00057] In step 612 
scene portions are selected to be provided based on the indicated head position, e.g., viewing angle, of the user.
[00058] 
After the scene portions to be streamed are selected in step 612, operation proceeds to step 614 wherein the encoded version of the selected stream portions are selected, e.g., based on the available data rate and the viewing position of the user. For example a full rate high resolution version of the scene portion which the user is facing as indicated by the current reported head portion may and normally will be streamed. One more scene portions to the left and/or right of the current head position may be selected to be streamed as a lower resolution, lower temporal rate
[00059] In step 616 the selected encoded versions of the selected scene portions are sent to the playback device which requested the content. Thus, in step 616 the encoded content corresponding to one or more portions, e.g., stereoscopic video content corresponding to multiple sequential frames, is streamed to the playback device.」
（仮訳）
［０００４７］ 図６は、例示的な実施形態に従って、画像コンテンツを提供する例示的な方法のステップを示すフローチャート６００である。フローチャート６００の方法は、図１に示される、取り込みシステムを使用して、いくつかの実施形態において実現される。
（略）
［０００５０］動作はステップ６０８からステップ６０８に進み、コンテンツがリクエストされるユーザ装置の現在の頭の位置は初期化される。（例えば、リクエスト時の現在の頭の位置を０度の位置とする。）０度又は正面の位置は、いくつかの実施形態においては、ユーザによって、再生装置が、再初期化が起こるべきであることをシグナリングすることを伴って再初期化される。
時間とともに、ユーザの頭の位置及び／又はユーザの頭の位置の変化は、例えばオリジナルの頭の位置に関連して、コンテンツ配信システム１０４に報告され
（略）
［０００５７］ステップ６１２で、
示された頭の位置（例えば、ユーザの視野角）に基づいて提供するために、シーン部分が選択される。
［０００５８］ステップ６１２において、
ストリームされるシーン部分が選択された後、
選択されたストリーム部分のエンコードされたバージョンが、
利用可能なデータレート及びユーザの視界位置に基づいて選択される。例えば、現在の報告された頭の位置によって示されるユーザが面したシーン部分の高レート高解像度のバージョンがストリームされ
現在の頭の位置の左及び／又は右のさらなるシーン部分が、より低い解像度、より低い時間的なレートとして
ストリームされるように選択される。
［０００５９］ステップ６１６において、選択されたシーン部分の選択され、エンコードされたバージョンは、コンテンツをリクエストした再生装置へ送られる。したがって、ステップ６１６では、１つ以上の部分（例えば複数の連続するフレームに対応する立体ビデオコンテンツ）に対応するエンコードされたコンテンツは、再生装置にストリーミングされる。
「[00069] The memory 712 includes various modules, e.g., routines, which when executed by the processor 707 control the computer system 700 to implement the immersive stereoscopic video acquisition, encoding, storage, and transmission and/or output methods in accordance with the invention. The memory 712 includes control routines 714, a partitioning module 706, encoder(s) 718, a streaming controller 720, received input images 732, e.g., 360 degree stereoscopic video of a scene, encoded scene portions 734, and timing information 736. 
In some embodiments the modules are, implemented as software modules.
（仮訳）
［０００６９］メモリ７１２は様々なモジュール（例えばルーチン）を含んでおり、プロセッサ７０８によって実行された時、システム７００をコントロールし、本発明に従って、没入型の立体ビデオの取得、エンコード、格納及び送信及び／又は出力方法を実行する。メモリ７１２は制御ルーチン７１４、分割モジュール７０６、エンコーダ７１８、ストリーミングコントローラー７２０、受信入力画像７３２（例えばシーンの３６０度の立体ビデオ、エンコードされたシーン部分７３４及びタイミング情報７３６）を含んでいる。
いくつかの実施形態では、モジュールはソフトウェアモジュールとして実行される。
「
 
　　　　　　　　　　　　　　　　　　　　　　　　　　　　　　　　」
（１−１−２）国際出願明細書等に記載の技術的事項
　上記（１−１−１）に摘記した記載から、国際出願明細書等には、以下（ア）〜（オ）の技術的事項が記載されているものと認められる。
（ア）上記段落０００１、０００８によれば、国際出願明細書等には、「立体ビデオを得ること、エンコードすること、ストリーミングすること、及びデコードすることに関し、３６０度の視界領域に対応するビデオ又はその他のコンテンツの配信、例えばストリーミングをサポートする方法」が記載されている。
（イ）上記段落０００９には、上記方法について、「映像コンテンツ等の、３６０度の視界の領域に対応する画像コンテンツは、Ｎ個の部分に分割され、各部分は３６０度の視界の異なる部分に対応し、Ｎは少なくとも２であって、３６０度の視界が３つの部分に分割され、ある部分は前方の１８０度の視界に対応し、第２の部分は左後ろの９０度の領域に対応し、そして残りの部分は右後ろの９０度の部分に対応する」ことが記載されている。
（ウ）上記段落０００２７、０００２８、０００２９には、上記方法について、「画像取り込み装置１０２、コンテンツ配信システム１０４、通信ネットワーク１０５及び複数の顧客宅内１０６，．．．，１１０を含み、前記コンテンツ配信システム１０４は、エンコード装置１１２及びコンテンツストリーミング装置／サーバー１１４を含み、
　前記エンコード装置１１２は、画像データをエンコードするために複数のエンコーダを含み、
　前記コンテンツストリーミング装置１１４は、例えば通信ネットワーク１０５を介して、１つ以上の顧客装置へエンコードされた画像コンテンツを配信するためのエンコードされたコンテンツをストリーム（例えば、伝送）」することが記載されている。
（エ）上記段落０００３１には、「前記顧客宅内１  １０６は、表示装置１２４に結合されているデコード装置／再生装置１２６を含み、表示装置１２４はヘッドマウント立体表示装置である」ことが記載されている。
（オ）上記段落０００３７〜段落０００４２には、上記方法におけるエンコードに係る処理として、以下のものが記載されている。
「前記方法への入力は、シーンの３６０度の視界を取り込むように用意された複数のカメラによって取り込まれた３６０度の立体画像データを含み、シーンデータ３０２は、異なるシーン領域（例えば、異なる視野角に対応するＮ個のシーン領域）に対応するデータへ分割され、
　３６０度のシーン領域は３つのパーティション（９０度部分に対応する左後方部分、正面１８０度部分及び右後方９０度部分）に分割され、
　各シーン部分は、各部分について複数の可能ビットレートストリームをサポートする複数のエンコーダによって独立してエンコードされ、
　前記複数のＫ個のエンコーダは、高解像度（ＨＤ）エンコーダ１  ４０４、標準解像度（ＳＤ）エンコーダ２  ４０６、低減フレームレートＳＤエンコーダ３  ４０８，．．．，高圧縮低減フレームレートＳＤエンコーダＫ  ４１０を含み、ＨＤエンコーダ１  ４０４は、高ビットレートＨＤエンコードされた画像４１２を生成するための高解像度（ＨＤ）エンコードを実行し、ＳＤエンコーダ２  ４０６は、入力画像のＳＤエンコードされたバージョン２  ４１４を生成するための低解像度の標準解像度エンコードを実行する」ものであることが記載されている。
（カ）上記段落０００４７〜段落０００５９には、上記方法における画像コンテンツを提供する処理として、以下のものが記載されている。
「時間とともに、ユーザの頭の位置及び／又はユーザの頭の位置の変化は、例えばオリジナルの頭の位置に関連して、コンテンツ配信システム１０４に報告され、
　示された頭の位置（例えば、ユーザの視野角）に基づいて提供するために、シーン部分が選択され、
　ストリームされるシーン部分が選択された後、選択されたストリーム部分のエンコードされたバージョンが、利用可能なデータレート及びユーザの視界位置に基づいて選択され、
　現在の報告された頭の位置によって示されるユーザが面したシーン部分の高レート高解像度のバージョンがストリームされ、現在の頭の位置の左及び／又は右のさらなるシーン部分が、より低い解像度、より低い時間的なレートとしてストリームされるように選択される」ものであることが記載されている。
（１−１−３）先願発明
　上記（１−１−２）から、国際出願明細書等には、次の発明（以下、「先願発明」という。）が記載されていると認められる。なお、各構成の符号（１ａ）〜（１ｋ）は、説明のために当審が付したものであり、以下、構成１ａ〜構成１ｋと称する。
（先願発明）
（１ａ）立体ビデオを得ること、エンコードすること、ストリーミングすること、及びデコードすることに関し、３６０度の視界領域に対応するビデオ又はその他のコンテンツの配信、例えばストリーミングをサポートする方法であって、
前記方法は、
（１ｂ）映像コンテンツ等の、３６０度の視界の領域に対応する画像コンテンツは、Ｎ個の部分に分割され、各部分は３６０度の視界の異なる部分に対応し、Ｎは少なくとも２であって、３６０度の視界が３つの部分に分割され、ある部分は前方の１８０度の視界に対応し、第２の部分は左後ろの９０度の領域に対応し、そして残りの部分は右後ろの９０度の部分に対応し、
（１ｃ）画像取り込み装置、コンテンツ配信システム、通信ネットワーク及び複数の顧客宅内を含み、前記コンテンツ配信システムは、エンコード装置及びコンテンツストリーミング装置／サーバーを含み、
（１ｄ）前記コンテンツ配信システムのエンコード装置は、画像データをエンコードするために複数のエンコーダを含み、
（１ｅ）前記コンテンツストリーミング装置は、例えば通信ネットワークを介して、１つ以上の顧客装置へエンコードされた画像コンテンツを配信するためのエンコードされたコンテンツをストリーム（例えば、伝送）し、
（１ｆ）前記顧客宅内は、表示装置に結合されているデコード装置／再生装置を含み、表示装置はヘッドマウント立体表示装置であり、
（１ｇ）前記方法への入力は、シーンの３６０度の視界を取り込むように用意された複数のカメラによって取り込まれた３６０度の立体画像データを含み、シーンデータは、異なるシーン領域（例えば、異なる視野角に対応するＮ個のシーン領域）に対応するデータへ分割され、
　３６０度のシーン領域は３つのパーティション（９０度部分に対応する左後方部分、正面１８０度部分及び右後方９０度部分）に分割され、
（１ｈ）各シーン部分は、各部分について複数の可能ビットレートストリームをサポートする複数のエンコーダによって独立してエンコードされ、
　前記複数のＫ個のエンコーダは、高解像度（ＨＤ）エンコーダ、標準解像度（ＳＤ）エンコーダ、低減フレームレートＳＤエンコーダ、高圧縮低減フレームレートＳＤエンコーダを含み、ＨＤエンコーダは、高ビットレートＨＤエンコードされた画像を生成するための高解像度（ＨＤ）エンコードを実行し、ＳＤエンコーダは、入力画像のＳＤエンコードされたバージョンを生成するための低解像度の標準解像度エンコードを実行するものであり、
（１ｉ）時間とともに、ユーザの頭の位置及び／又はユーザの頭の位置の変化は、例えばオリジナルの頭の位置に関連して、コンテンツ配信システムに報告され、
（１ｊ）示された頭の位置（例えば、ユーザの視野角）に基づいて提供するために、シーン部分が選択され、
（１ｋ）ストリームされるシーン部分が選択され、選択されたストリーム部分のエンコードされたバージョンが、利用可能なデータレート及びユーザの視界位置に基づいて選択され、例えば、現在の報告された頭の位置によって示されるユーザが面したシーン部分の高レート高解像度のバージョンがストリームされ、現在の頭の位置の左及び／又は右のさらなるシーン部分が、より低い解像度、より低い時間的なレートとしてストリームされるように選択されるものである
（１ａ）方法。
（１−２）対比
　本件発明１の構成１Ａ〜構成１Ｅを先願発明の構成１ａ〜構成１ｋと対比すると、次のことがいえる。
（ア）構成１Ａについて
　先願発明は、構成１ｂにおいて「映像コンテンツ等の、３６０度の視界の領域に対応する画像コンテンツ」が用いられるから、構成１ｇの複数のカメラによって取り込まれる「立体画像」には「映像」も含まれる。そして、構成１ｇの「シーンの３６０度の視界を取り込むように用意された複数のカメラによって取り込まれた３６０度の立体画像データ」は、構成１Ａの「パノラマ映像」に相当する。
　よって、構成１ｂ、１ｇは、構成１Ａと一致する。
（イ）構成１Ｂについて
　構成１ｉの「ユーザの頭の位置」は、時間とともに報告されるものであるから、構成１Ｂの「頭部追跡データ」に相当する。そして、構成１ｉのユーザの頭の位置が報告されることは、構成１Ｂの「頭部追跡データを受信すること」に相当する。
　また、構成１ｊの「頭の位置」は、時間とともに頭の位置の変化は報告されるから、現在のユーザの頭の位置といえ、構成１ｊの選択された「シーン部分」は、構成１ｂ及び構成１ｇの３６０度の視界の「異なるシーン領域（異なる視野角に対応するＮ個のシーン領域）」の正面１８０度部分であるから、３６０度をＮ個に分割した角度の範囲を有しているといえる。そして、構成１ｊの選択された「シーン部分」は、示されたユーザの頭の位置（ユーザの視野角）に基づいて選択され、１８０度の範囲を有していることから、構成１Ｂの「現在視野」に相当する。
　よって、構成１ｉ、１ｊは、構成１Ｂに相当する。
（ウ）構成１Ｄについて
　構成１ｇの「シーンデータ」は、「３６０度の立体画像データ」であり、上記（ア）のとおり、構成１Ａの「パノラマ映像」に相当する。そして、当該「シーンデータ」は、Ｎ個のシーン領域に対応するデータへ分割されるから、構成１ｇは、構成１Ｄの「前記パノラマ映像を２つ以上のサブストリームに分割すること」に相当する。
　加えて、上記（イ）のとおり、構成１ｇの３６０度の視界の「シーンデータ」は、現在のユーザの頭の位置（ユーザの視野角）に基づいて選択される正面１８０度部分と、当該部分の外側にある左後方９０度部分及び右後方９０度部分を含むものといえる。よって、構成１ｇは、構成１Ｄの「但し、少なくとも１つのサブストリームは前記現在視野にあり、少なくとも１つのサブストリームは前記現在視野の外側にある、前記分割する」に相当する。
　よって、構成１ｇは、構成１Ｄに相当する。
（エ）構成１Ｅについて
　構成１ｋの「シーン部分の高レート高解像度のバージョン」は、構成１ｈの「高ビットレートＨＤエンコードされた画像」であり、構成１ｋの「より低い解像度、より低い時間的なレートとして」選択されるシーン部分は、構成１ｈの「入力画像のＳＤエンコードされたバージョン」であるから、構成１ｋの「ストリームされるシーン部分」のエンコードされたバージョンを選択することは、構成１ｈの「高ビットレートＨＤエンコードされた画像」或いは「ＳＤエンコードされたバージョン」を選択することである。ここで、複数の解像度から一つの解像度を「選択」することは、ストリームされる画像を「程よくすること」をもたらすことから、解像度を「調整」するといえる。よって、エンコードされた複数の解像度のバージョンを有するシーンデータから、一つのバージョンをシーン部分のシーンデータとして選択することは、ストリームするシーン部分のシーンデータの解像度を程よい解像度とすることといえるから、構成１Ｅの「サブストリームの解像度を調整すること」といえる。
　そして、構成１ｋの「現在の報告された頭の位置によって示されるユーザが面したシーン部分」及び「現在の頭の位置の左及び／又は右のさらなるシーン部分」は、構成１Ｅの「現在視野にある少なくとも１つのサブストリーム」及び「現在視野の外側にある少なくとも１つのサブストリーム」といえる。また、「現在の報告された頭の位置によって示されるユーザが面したシーン部分」のバージョンは、「現在の頭の位置の左及び／又は右のさらなるシーン部分」のバージョンより高い解像度を有している。
　よって、構成１ｈ、１ｋは、構成１Ｅに相当する。
（オ）構成１Ｃについて
　構成１Ｃは、構成１Ｅにおいて「少なくとも１つのサブストリーム」を「パノラマ映像」と上位概念化したものに相当する。よって、構成１ｈ、１ｋは、上記（エ）のとおり、構成１Ｅに相当するから、構成１Ｃにも相当するといえる。
（カ）特許権者の主張について
　なお、特許権者は、令和元年６月１３日に提出された意見書において、以下のとおり主張している。
ア　「先願１には、00058に、a full rate high resolution version of the scene portion which the user is facing as indicated by the current reported head portion may and normally will be streamed. Onemore scene portions to the left and/or right of the current head position maybe selected to be streamed as a lower resolution・・・（報告された現在の頭の位置によって示される、
ユーザが面したシーン部分の高レート高精細バージョンがストリームされる
　してみると、先願１には、「ユーザが面したシーン部分の高レート高精細バージョンがストリームされる」ことは記載されている。これは、「ユーザが面した」ことに基づいて、解像度を調整していると言えるのかもしれない。
　しかし、「ユーザが面した部分」は、「現在視野」に含まれうる部分とはイコールではない。「ユーザが面した部分」は、「現在視野」で見える部分に含まれてはいるだろうが、「現在視野」に含まれうる部分は、「ユーザに面した部分」よりも、少し広いだろう。
　このため、「ユーザが面した」ことに基づいて解像度を調整した後の映像データと、「現在視野」に基づいて解像度を調整した映像データとは、異なるだろう。そして先願１には、「現在視野」に基づいて解像度を調整することは、何ら記載されていない。」（２頁下から３行〜３頁８行）（以下、「主張ア」という。）
イ　「また先願１には、「前記現在視野にあるサブストリームの数は２つ以上でありうる」ことも記載されていない。」（３頁９〜１０行）（以下、「主張イ」という。）
　主張アについて検討する。
　先願発明の選択された「シーン部分」である正面１８０度部分は、上記（イ）のとおりユーザの頭の位置（ユーザの視野角）に基づいて選択されるものであり、当該視野角はユーザの頭の位置で見える範囲といえるから、「現在視野」に相当する。
　念のために、本願明細書を参照しても、段落００４２に「現在視野は、頭部追跡データに基づいて決定」とあるだけであって、他に具体的な記載も存在せず、「現在視野」を決定する技術的内容は特定されていない。
　よって、上記主張１は採用することができない。
　また、主張イについては、本件補正により削除された補正事項５及び補正事項６に基づく主張であるから、採用することができない。
（キ）まとめ
　以上から、先願発明は本件発明１の構成１Ａ〜１Ｅの全てにおいて一致する構成を有するから、本件発明１と先願発明は同一である。
（２）本件発明２、３について
　先願発明の構成１ｅ、１ｆは、画像コンテンツがストリームされる顧客宅内における表示装置が、ヘッドマウント立体表示装置であるから、構成２Ａに相当する構成を有している。
　また、ヘッドマウントディスプレイはモバイル機器であるから、先願の国際出願明細書等には本件発明３の構成３Ａに相当する構成が記載されている。
　したがって、本件発明２、３は、先願の国際出願明細書等に記載された発明と同一である。
（３）本件発明４〜６について
　本件発明４は、本件発明１のカテゴリを「機器」としたものにすぎず、構成４Ａ〜構成４Ｅは、構成１Ａ〜構成１Ｅにそれぞれ対応する構成であるから、本件発明４は、先願の国際出願明細書等に記載された発明と同一である。
　また、先願の国際出願明細書等の段落０００６９、図７等には、先願発明をソフトウェアで構成することも記載されているから、本件発明５、６は、先願の国際出願明細書等に記載された発明と同一である。
（４）理由１についてのまとめ
　以上のとおり、本件発明１〜本件発明６は、本件特許の優先日前の外国語特許出願であって、本件特許の国際出願の優先日の後に国際公開がされた先願の国際出願日における明細書、特許請求の範囲又は図面に記載された発明である。
　また、本件特許の発明者が先願の発明者と同一ではなく、本件特許の出願の時において、本件特許の出願人が先願の出願人と同一でもない。
　したがって、本件発明１〜本件発明６に係る特許は、特許法第２９条の２の規定に違反してされたものである。
３　理由２（特許法第２９条第２項）について
（１）本件発明１について
（１−１）引用文献
（１−１−１）引用文献２
（１−１−１−１）引用文献２の記載事項
　上記引用文献２（甲第２号証：特開２００４−７２６９４号公報）には、以下の記載がある。なお、下線は当審において付した。
「【００２４】
図１は、本発明を適用した
全方位画像提供システム
ネットワーク１には、ユーザ端末２とユーザ端末２に対して全方位の画像の画像データを提供するサーバ３が接続されている。
【００２５】
サーバ３には、全方位の画像を撮影する撮影装置４が接続されている。
（略）
【００２９】
図３は、ユーザ端末２の構成を表している。
（略）
【００３３】
入出力インタフェース２７には、ヘッドマウントディスプレイ
よりなる入力部２８
通信部３１が接続されている。
（略）
【００３６】
サーバ３のバス６６には、視点決定部６４、エンコード部６５、および入出力インタフェース６７が接続されている。
【００３７】
視点決定部６４は、ネットワーク１を介してユーザ端末２より送信された視点情報に基づいて視点を決定する。エンコード部６５は、視点決定部６４からの視点情報に基づいて、撮影装置４から入力された画像データを、例えば、ＪＰＥＧ２０００の画像フォーマットでエンコードし、それぞれエンコードされた画像データを、全方位の画像の画像データとして、通信部７１を介してユーザ端末２に送信する。
（略）
【００４０】
この全方位画像提供システムにおいて、全方位の画像は、図６に示されるように、例えば、８台のカメラ５−１乃至５−８により撮影される８つの方向の画像により構成される。この８つの方向は、上中央部の方向を「Ｎ」（北）とすると、「Ｎ」から時計回りの順に、「ＮＥ」（北東），「Ｅ」（東），「ＳＥ」（南東），「Ｓ」（南），「ＳＷ」（南西），「Ｗ」（西）および「ＮＷ」（北西）とされる。
【００４１】
ユーザによりユーザ端末２の入力部２８が操作され、現在の視点（いまの場合、「Ｎ」）が入力される。それに対応して、ステップＳ１において、視点指定部２４は、現在の視点を表す、視点情報を設定する。ステップＳ２において、通信部３１は、視点指定部２４により設定された視点情報（いまの場合、「Ｎ」）を、ネットワーク１を介して、サーバ３に送信する。
【００４２】
サーバ３の通信部７１は、ステップＳ１１において、ユーザ端末２からの視点情報を受信し、視点決定部６４に出力する。
【００４３】
ステップＳ３１において、エンコード部６５は、予め設定された解像度（高解像度）Ｒ１を、解像度Ｒとする。ステップＳ３２において、
エンコード部６５は、撮影装置４のカメラ５−１乃至５−８より、８方向の画像データを受け取る。
【００４４】
エンコード部６５は、ステップＳ３３において、視点決定部６４からの視点情報に基づいて、エンコードする方向の画像を選択し、それをＸとし、ステップＳ３４において、Ｘの左隣の画像をＹとする。いまの場合、現在の視点情報が「Ｎ」であるので、Ｘは、「Ｎ」の画像であり、Ｙは、「ＮＷ」の画像である。
【００４５】
エンコード部６５は、ステップＳ３５において、Ｘの画像データを既にエンコードしたか否かを判断し、まだ、Ｘの画像データをエンコードしていないと判断した場合、ステップＳ３６において、
Ｘの画像データを、解像度Ｒでエンコードする。すなわち、「Ｎ」の画像データは、予め設定された解像度Ｒ１でエンコードされる。
【００４６】
ステップＳ３７において、エンコード部６５は、Ｘを１つ右の画像に移動させる。いまの場合、Ｘは、「ＮＥ」の画像とされる。
【００４７】
エンコード部６５は、ステップＳ３８において、現在の解像度（いまの場合、解像度Ｒ１）を１／２にしたものを、新たな解像度Ｒとし、ステップＳ３９において、Ｙの画像データを既にエンコードしたか否かを判断する。ステップＳ３９において、まだ、Ｙの画像データをエンコードしていないと判断された場合、ステップＳ４０において、エンコード部６５は、Ｙの画像データを、解像度Ｒでエンコードする。すなわち、
「ＮＷ」の画像データが、解像度Ｒ１の１／２の解像度で（画素数が１／２になるように）エンコードされる。
【００４８】
エンコード部６５は、ステップＳ４１において、Ｙを１つ左の画像に移動させる。いまの場合、Ｙは、「Ｗ」の画像とされる。
【００４９】
そして、エンコード部６５は、ステップＳ３５に戻り、Ｘの画像データを既にエンコードしたか否かを判断し、まだ、Ｘの画像データをエンコードしていないと判断した場合、ステップＳ３６において、Ｘの画像データを、解像度Ｒでエンコードする。これにより、いまの場合、
「ＮＥ」の画像データが、解像度Ｒ１の１／２の解像度でエンコードされる。
【００５０】
ステップＳ３７において、エンコード部６５は、Ｘを１つ右の画像に移動させる。いまの場合、Ｘは、「Ｅ」の画像とされる。
【００５１】
ステップＳ３８において、現在の解像度（いまの場合、（１／２）解像度Ｒ１）を１／２にしたもの（（１／４）解像度Ｒ１）を、新たな解像度Ｒとする。ステップＳ３９において、エンコード部６５は、Ｙの画像データを既にエンコードしたか否かを判断し、まだ、Ｙの画像データをエンコードしていないと判断した場合、ステップＳ４０において、Ｙの画像データを、解像度Ｒでエンコードする。すなわち、
「Ｗ」の画像データが、解像度Ｒ１の１／４の解像度でエンコードされる。
【００５２】
エンコード部６５は、ステップＳ４１において、Ｙを１つ左の画像に移動させる。いまの場合、Ｙは、「ＳＷ」の画像とされる。
【００５３】
そして、エンコード部６５は、ステップＳ３５に戻り、それ以降の処理を繰り返す。このようにして、
「Ｅ」の画像データが、解像度Ｒ１の１／４の解像度でエンコードされ、「ＳＷ」および「ＳＥ」の画像データが、解像度Ｒ１の１／８の解像度でエンコードされ、「Ｓ」の画像データが、解像度Ｒ１の１／１６の解像度でエンコードされる。
【００５４】
その結果、図６または図８に示されるように、現在の視点である「Ｎ」の画像の解像度を１とした場合、「Ｎ」の左右隣の「ＮＷ」および「ＮＥ」の画像の解像度は、１／２とされ、「ＮＷ」の左隣の「Ｗ」および「ＮＥ」の右隣の「Ｅ」の画像の解像度は、１／４とされ、「Ｗ」の左隣の「ＳＷ」および「Ｅ」の右隣の「ＳＥ」の画像の解像度は、１／８とされ、「ＳＷ」の左隣（すなわち、「Ｎ」の対角方向）の「Ｓ」の画像の解像度は、１／１６とされる。
（略）
【００６０】
さらに、図５の
全方位画像提供システムの通信処理におけるデータの流れについて、図９を参照して説明する。図９においては、縦方向は、時間軸を示し、上から下に行くに連れて、時間が経過している。また、ユーザ端末２の時間軸に沿って付けられているａ０，ａ１，ａ２，…は、ユーザ端末２からサーバ３に送信されるＡＣＫ（確認応答パケット）と視点情報が送信されるタイミングを示し、サーバ３の時間軸に沿って付けられているｂ０，ｂ１，ｂ２，…は、サーバ３からユーザ端末２に画像データのパケットが送信されるタイミングを示し、撮影装置４の時間軸に沿って付けられているｃ０，ｃ１，ｃ２，…は、撮影装置４からサーバ３に画像データが送信されるタイミングを示している。
「【０１３０】
以上の処理により、例えば、
現在の視点の解像度を１とした場合、解像度１の「Ｎ」の画像データが通信部７１に出力され、解像度１／２の「Ｎ」の左右隣の「ＮＷ」および「ＮＥ」の画像データが通信部７１に出力され、解像度１／４の「ＮＷ」の左隣の「Ｗ」および「ＮＥ」の右隣の「Ｅ」の画像データが通信部７１に出力される。また、解像度１／８の「Ｗ」の左隣の「ＳＷ」および「Ｅ」の右隣の「ＳＥ」の画像データが通信部７１に出力され、解像度１／１６の「ＳＷ」の左隣（すなわち、「Ｎ」の対角方向）の「Ｓ」の画像データが出力される。
「【図３】
 
　　　　　　　　　　　　　　　　　　　　　　　　　　　　　　　　」
「【図４】
 
　　　　　　　　　　　　　　　　　　　　　　　　　　　　　　　　」
「【図８】
 
　　　　　　　　　　　　　　　　　　　　　　　　　　　　　　　　」
「【図９】
 
　　　　　　　　　　　　　　　　　　　　　　　　　　　　　　　　」
（１−１−１−２）引用文献２に記載の技術的事項
　上記（１−１−１−１）に摘記した記載から、引用文献２には、以下（ア）〜（キ）の技術的事項が記載されているものと認められる。
（ア）上記段落００２４、００２５、００２９、００３３、００３６、００３７、図３、４の記載によれば、ユーザ端末２とユーザ端末２に対して全方位の画像の画像データを提供するサーバ３がネットワーク１に接続されている全方位画像提供システムの情報提供方法であって、前記ユーザ端末２は、ヘッドマウントディスプレイよりなる入力部２８を備え、前記サーバ３は、全方位の画像を撮影する撮影装置４が接続され、さらに、視点決定部６４、エンコード部６５及び通信部７１が接続されていることが記載されている。
（イ）上記段落００４１、００４２の記載によれば、前記ユーザ端末２は、前記入力部２８が操作され、現在の視点が入力されることに対応して、現在の視点を表す、視点情報を設定し、ネットワーク１を介して送信し、前記通信部７１は、前記ユーザ端末２からの視点情報を受信することが記載されている。
（ウ）上記段落００２５、００４０、００４３、図８の記載によれば、前記サーバ３の前記エンコード部６５は、前記撮影装置４から、Ｎ、ＮＥ、Ｅ、ＳＥ、Ｓ、ＳＷ、Ｗ、ＮＷの８つの方向の画像により構成される全方位の８方向の画像データを受け取るものである。
（エ）上記段落００３７、００４４、図４の記載によれば、サーバ３の視点決定部６４は、前記ユーザ端末２から送信された視点情報に基づいて現在の視点を表す視点方向を決定するものである。
（オ）上記段落００３６、００４４〜００５４、０１３０、図４の記載によれば、前記サーバ３の前記エンコード部６５は、前記視点決定部６４からの視点情報に基づいて、エンコードする方向の画像を選択し、現在の視点である「Ｎ」の画像データを予め設定された解像度Ｒ１でエンコードし、Ｎの画像の解像度を１とした場合、ＮＷ、ＮＥの画像の解像度は１／２、Ｗ、Ｅの画像の解像度は１／４、ＳＷ、ＳＥの画像の解像度は１／８、Ｓの画像の解像度は１／１６でエンコードして通信部７１に出力するものである。
（カ）上記段落００３７、０１３０、図４の記載によれば、前記サーバ３の前記通信部７１は、前記エンコードされたＮ、ＮＥ、Ｅ、ＳＥ、Ｓ、ＳＷ、Ｗ、ＮＷの画像データを、ユーザ端末２に送信するものである。
（キ）上記段落００６０、図９の記載によれば、前記ユーザ端末２から前記サーバ３に視点情報が送信されるタイミングは、ａ０，ａ１，ａ２，…であり、前記サーバ３から前記ユーザ端末２に画像データが送信されるタイミングはｂ０，ｂ１，ｂ２，…であり、前記撮影装置４から前記サーバ３に画像データが送信されるタイミングはｃ０，ｃ１，ｃ２，…であることが記載されている。
（１−１−１−３）引用発明
　以上より、引用文献２には、サーバにおける処理に係る次の発明（以下、「引用発明」という。）が記載されていると認められる。なお、各構成の符号２ａ〜２ｉは、説明のために当審が付したものであり、以下、構成２ａ〜構成２ｉと称する。
（引用発明）
（２ａ）ユーザ端末とユーザ端末に対して全方位の画像の画像データを提供するサーバがネットワークに接続されている全方位画像提供システムの情報提供方法であって、
（２ｂ）前記ユーザ端末は、ヘッドマウントディスプレイよりなる入力部を備え、
（２ｃ）前記サーバは、全方位の画像を撮影する撮影装置が接続され、さらに、視点決定部、エンコード部及び通信部が接続されており、
（２ｄ）前記ユーザ端末は、前記入力部が操作され、現在の視点が入力されることに対応して、現在の視点を表す、視点情報を設定し、ネットワークを介して送信し、前記通信部は、前記ユーザ端末からの視点情報を受信し、
（２ｅ）前記エンコード部は、前記撮影装置から、Ｎ、ＮＥ、Ｅ、ＳＥ、Ｓ、ＳＷ、Ｗ、ＮＷの８つの方向の画像により構成される全方位の８方向の画像のデータを受け取り、
（２ｆ）前記視点決定部は、前記ユーザ端末から送信された視点情報に基づいて現在の視点を表す視点方向を決定し、
（２ｇ）前記エンコード部は、前記視点決定部からの視点情報に基づいて、エンコードする方向の画像を選択し、現在の視点情報であるＮの画像データを予め設定された解像度Ｒ１でエンコードし、Ｎの画像の解像度を１とした場合、ＮＷ、ＮＥの画像の解像度は１／２、Ｗ、Ｅの画像の解像度は１／４、ＳＷ、ＳＥの画像の解像度は１／８、Ｓの画像の解像度は１／１６でエンコードして通信部に出力し、
（２ｈ）前記通信部は、前記エンコードされたＮ、ＮＥ、Ｅ、ＳＥ、Ｓ、ＳＷ、Ｗ、ＮＷの画像データを、ユーザ端末に送信し、
（２ｉ）前記ユーザ端末から前記サーバに視点情報が送信されるタイミングは、ａ０，ａ１，ａ２，…であり、前記サーバから前記ユーザ端末に画像データが送信されるタイミングはｂ０，ｂ１，ｂ２，…であり、前記撮影装置から前記サーバに画像データが送信されるタイミングはｃ０，ｃ１，ｃ２，…である
（２ａ）方法。
（１−１−２）引用文献３
　上記引用文献３には、全方位テレビカメラを中心に周囲３６０度の視野を有し、視野に対応して映像空間の映像を取り込んだビデオ信号を全方位テレビ受像機に送信する技術に関して、以下の記載がある。なお、下線は当審において付した。
「【００１４】また、図７に示すように上記全方位テレビ受像機２を人間の頭に被せるヘッドマウントディスプレイ２０で構成してもよい。この
ヘッドマウントディスプレイ２０は映像選択手段として頭の回転角度を検出するセンサ２１を備えている。
検出した回転角度を選択信号に変換し、全方位テレビカメラ１で撮影した映像データの中から選択信号に該当する映像データを自動的に選択してヘッドマウントディスプレイ２０に表示する
（１−１−３）引用文献５
　上記引用文献５（引用文献２に従来技術として開示された特許文献）には、任意の位置を中心として３６０度全方向を撮影した「全方位の画像」を再生装置に送信する技術に関して、以下の記載がある。なお、下線は当審において付した。
「【０１１４】この場合、インタラクティブに操作するべき画像はあらかじめユーザーサイドの蓄積装置にダウンロードされているから、伝送路の混み具合やサーバーの混雑によるアクセス遅延などの影響を受けることなく、リアルタイムでインタラクティブな操作が可能である。つまり、完全な
動画像を対象として、あたかもユーザーが撮影地点にいて、自ら首や目を動かして見たい方向を向きながら風景を楽しんでいるかのごとくに機能させる。
（１−２）対比
　本件発明１の構成１Ａ〜構成１Ｅを引用発明の構成２ａ〜構成２ｉと対比する。
（ア）構成１Ａについて
　構成２ｅの「全方位の８方向の画像のデータ」と、構成１Ａの「パノラマ映像」は、「パノラマ画像」である点で共通するから、構成２ｅは、「パノラマ画像」を受信する点で構成１Ａと共通する。
　しかしながら、本件発明１の「パノラマ映像」は「パノラマ動画」であるのに対し、引用発明の「全方位の８方向の画像のデータ」は「画像」である点で両者は相違する。（以下、「相違点１」という。）
（イ）構成１Ｂについて
　構成２ｄの「視点情報」は、構成２ｂのヘッドマウントディスプレイに対するユーザの操作に対応して設定される情報であり、ヘッドマウントディスプレイはユーザの頭部に装着される装置であるから、「頭部に装着した装置においてユーザの操作に対応して設定されるデータ」といえる。そして、構成２ｄの「視点情報」は、構成２ｉのａ０，ａ１，ａ２，…の各タイミングでユーザ端末から送信されるものであるから、ヘッドマウントディスプレイに対するユーザの操作を「追跡したデータ」といえる。よって、構成２ｄの頭部に装着した装置においてユーザの操作に対応して設定される「視点情報」と、構成１Ｂの「頭部追跡データ」とは、「追跡データ」である点で共通する。そして、構成２ｄの「視点情報を受信」することと、構成１Ｂの「頭部追跡データを受信すること」は、「追跡データを受信すること」で共通する。しかしながら、当該「追跡データ」が、本件発明１では「頭部追跡データ」であるのに対し、引用発明では「視点情報」である点で両者は相違する。（以下、「相違点２」という。）
　また、構成２ｆの「現在の視点を表す視点方向」は、構成２ｅ及び構成２ｇの「Ｎ」、「ＮＥ」、「Ｅ」、「ＳＥ」、「Ｓ」、「ＳＷ」、「Ｗ」、「ＮＷ」の８つの方向であるから、全方位の８分の１の範囲を有する方向といえる。そして、当該３６０度の８分の１の範囲は、現在の視点と視点周辺の眼によって知覚できる所定の範囲という意味で、「視野」といえる。
　よって、構成２ｆの「現在の視点を表す視点方向」は、構成１Ｂの「現在視野」に相当するといえる。したがって、構成２ｆ、２ｇは、「追跡データに基づいて現在視野を決定する」ものである点で、構成１Ｂと共通する。
（ウ）構成１Ｄについて
　構成２ｇは、構成２ｅで受け取った全方位の８方向の画像のデータを、Ｎ、ＮＥ、Ｅ、ＳＥ、Ｓ、ＳＷ、Ｗ、ＮＷの各方向に応じて個別の解像度でエンコードするから、「パノラマ画像を２つ以上の画像データに分割する」構成を有する点で構成１Ｄと共通するといえる。
　また、上記（イ）のとおり、引用発明の「視点方向」は、本件発明１の「現在視野」に相当するといえるから、構成２ｄの現在の視点情報である「Ｎ」及び当該Ｎ以外の「ＮＥ、Ｅ、ＳＥ、Ｓ、ＳＷ、Ｗ、ＮＷ」は、各々構成１Ｄの「現在視野」及び「現在視野の外側」にそれぞれ相当する。よって、構成２ｇは、パノラマ画像を２つ以上に分割した画像データが「少なくとも１つの画像データは現在視野にあり、少なくとも１つの画像データは現在視野の外側にある」との構成を有する点で、構成１Ｄと共通する。
　しかしながら、両者は、上記相違点１と同様の相違点を有する。
（エ）構成１Ｅについて
　上記（ウ）のとおり、「Ｎ」は「現在視野」、「ＮＥ、Ｅ、ＳＥ、Ｓ、ＳＷ、Ｗ、ＮＷ」は「現在視野の外側」にそれぞれ相当するから、構成２ｇの「現在の視点情報であるＮの画像データを予め設定された解像度Ｒ１でエンコード」すること、及び、「Ｎの画像の解像度を１とした場合、ＮＷ、ＮＥの画像の解像度は１／２、Ｗ、Ｅの画像の解像度は１／４、ＳＷ、ＳＥの画像の解像度は１／８、Ｓの画像の解像度は１／１６でエンコード」することは、「現在視野にある画像データの解像度を調整する」こと、及び、「現在視野の外側にある画像データの解像度を調整する」ことといえる。よって、構成２ｇと構成１Ｅは、「現在視野にある画像データの解像度を調整すること」及び「現在視野の外側にある画像データの解像度を調整すること」である点、及び、「現在視野にある画像データの調整後の解像度」は、「現在視野の外側にある画像データの調整後の解像度」よりも高い点で共通する。
　そして、構成２ｈは、「Ｎ」、「ＮＥ、Ｅ、ＳＥ、Ｓ、ＳＷ、Ｗ、ＮＷ」の画像データをユーザ端末に送信するから、構成２ｈは、「現在視野にある画像データの調整後の解像度及び現在視野の外側にある画像データの調整後の解像度を有する前記パノラマ画像を提供する」構成を有する点で、構成１Ｅと共通する。
　しかしながら、両者は、上記相違点１と同様の相違点を有する。
（オ）構成１Ｃについて
　構成１Ｃは、構成１Ｅにおいて「少なくとも１つのサブストリーム」を「パノラマ映像」と上位概念化したものに相当する。よって、構成１Ｃについても、上記（エ）のとおり、両者は、上記相違点１と同様の相違点を有し、その余の点で共通する構成を有しているといえる。
（カ）一致点及び相違点について
　以上から、本件発明１と引用発明の一致点及び相違点は以下のとおりである。
（一致点）
１Ａ’：・パノラマ画像を受信すること；
１Ｂ’：・追跡データを受信すること；
　　・前記追跡データに基づいて現在視野を決定すること；
１Ｃ’：・前記現在視野に基づいて前記パノラマ画像の解像度を調整すること、但し、前記現在視野は第１の解像度であり、前記現在視野の外側の解像度は第２の解像度である、前記調整すること；
　　・前記現在視野に基づいて、調整後の解像度を有する前記パノラマ画像を提供すること、但し、前記第１の解像度は前記第２の解像度よりも高い、前記提供すること；を含む方法であって、
１Ｄ’：・前記パノラマ画像を２つ以上の画像データに分割すること、但し、少なくとも１つの画像データは前記現在視野にあり、少なくとも１つの画像データは前記現在視野の外側にある、前記分割すること；
１Ｅ’：・前記現在視野の外側にある前記少なくとも１つの画像データの解像度を調整すること；
　　・前記現在視野にある前記少なくとも１つの画像データの解像度を調整すること；
　　・前記現在視野にある前記少なくとも１つの画像データの調整後の解像度及び前記現在視野の外側にある前記少なくとも１つの画像データの調整後の解像度を有する前記パノラマ画像を提供すること、但し、前記現在視野にある前記少なくとも１つの画像データの前記調整後の解像度は、前記現在視野の外側にある前記少なくとも１つの画像データの前記調整後の解像度よりも高い、前記提供すること；をさらに含む、方法。
（相違点１）パノラマ画像が、本件発明１ではパノラマ映像であるのに対し、引用発明では「画像」である点。
（相違点２）前記追跡データが、本件発明１では「頭部追跡データ」であるのに対し、引用発明では「視点情報」である点。
（１−３）相違点に係る判断
　上記各相違点について検討する。
（ア）相違点１について
　任意の位置を中心として３６０度全方向を撮影した「全方位の画像」を再生装置に送信する技術において、「全方位の画像」を動画像とすることは、引用文献５に記載されているように周知技術と認められるから、引用発明において、当該周知技術を採用して、パノラマ画像を動画像とすること、即ち「パノラマ映像」とすることは、当業者が容易になしうることである。
（イ）相違点２について
　３６０度の視野に対応して取り込んだビデオ信号を受像機に送信する技術において、映像選択手段としてのヘッドマウントディスプレイが備える「頭の回転角度を検出するセンサ」が検出した「頭の回転角度」を映像データの選択信号とすることは、引用文献３に記載されているように周知技術である。そして、引用発明における「追跡するデータ」として当該周知技術を採用して、「頭の回転角度」とすること、即ち「追跡するデータ」として頭部追跡データを用いることは、当業者が容易になしうることである。
　そして、これらの相違点を総合的に勘案しても、本件発明１の奏する作用効果は、引用発明及び周知技術の奏する作用効果から予測される範囲内のものにすぎず、格別顕著なものということはできない。
（１−４）特許権者の主張について
　なお、特許権者は、令和元年６月１３日に提出された意見書において、以下のとおり主張している。
「訂正後の本件請求項１に係る発明は、「前記パノラマ映像を２つ以上のサブストリームに分割すること、但し、少なくとも１つのサブストリームは前記現在視野にあり、少なくとも１つのサブストリームは前記現在視野の外側にあり、前記現在視野にあるサブストリームの数は２つ以上でありうる、前記分割すること」を、発明特定事項の一つとしている。この事項を引用文献２に記載の発明に具備させることは、当業者に想到容易でなかったと考える。」（４頁４〜９行）
　しかしながら、上記主張は、本件補正により削除された補正事項５及び補正事項６に基づく主張であるから、採用することができない。
（１−５）まとめ
　以上から、本件発明１は、引用発明及び周知技術に基づいて、当業者が容易に発明をすることができたものである。
（２）本件発明２、３について
　引用発明は、ヘッドマウントディスプレイを備えるユーザ端末に各方位の画像を送信するものである。また、送信先のユーザ端末をモバイル装置とすることは、当業者にとって格別のことではない。
　したがって、本件発明２、３は、引用発明及び周知技術に基づいて、当業者が容易に発明をすることができたものである。
（３）本件発明４〜６について
　本件発明４は、本件発明１のカテゴリを「機器」としたものにすぎず、構成４Ａ〜構成４Ｅは、構成１Ａ〜構成１Ｅにそれぞれ対応する構成である。また、映像の処理をソフトウェアで行うことは一般的な態様である。
　よって、本件発明４〜６は、上記（１）と同様の理由により、当業者が容易に発明をすることができたものである。
（４）理由２についてのまとめ
　以上のとおり、本件発明１〜本件発明６は、引用発明及び周知技術に基づいて当業者が容易に発明をすることができたものであるあるから、本件発明１〜本件発明６に係る特許は、特許法第２９条第２項の規定に違反してされたものである。
第５　むすび
　以上のとおり、本件特許の請求項１、８、９、１５、１８、１９に係る特許は、特許法第２９条の２の規定及び特許法第２９条第２項の既定に違反してされたものである。
　したがって、本件特許の請求項１、８、９、１５、１８、１９に係る特許は、特許法第１１３条第２号に該当し、取り消されるべきものである。
　他方、本件特許の請求項２０〜２３に係る特許は、特許異議の申立てにおける取消理由の対象には含まれていないから、維持されるべきものである。
　よって、結論のとおり決定する。
【異議決定日】
令和１年１２月２６日（２０１９．１２．２６）
【訂正の要旨】
審決（決定）の【理由】欄参照。
（５７）【特許請求の範囲】
　【請求項１】
・　パノラマ映像を受信すること；
・　頭部追跡データを受信すること；
・　前記頭部追跡データに基づいて現在視野を決定すること；
・　前記現在視野に基づいて前記パノラマ映像の解像度を調整すること、但し、前記現在視野は第１の解像度であり、前記現在視野の外側の解像度は第２の解像度である、前記調整すること；
・　前記現在視野に基づいて、調整後の解像度を有する前記パノラマ映像を提供すること、但し、前記第１の解像度は前記第２の解像度よりも高い、前記提供すること；
を含む方法であって、
・　前記パノラマ映像を２つ以上のサブストリームに分割すること、但し、少なくとも１つのサブストリームは前記現在視野にあり、少なくとも１つのサブストリームは前記現在視野の外側にある、前記分割すること；
・　前記現在視野の外側にある前記少なくとも１つのサブストリームの解像度を調整すること；
・　前記現在視野にある前記少なくとも１つのサブストリームの解像度を調整すること；
・　前記現在視野にある前記少なくとも１つのサブストリームの調整後の解像度及び前記現在視野の外側にある前記少なくとも１つのサブストリームの調整後の解像度を有する前記パノラマ映像を提供すること、但し、前記現在視野にある前記少なくとも１つのサブストリームの前記調整後の解像度は、前記現在視野の外側にある前記少なくとも１つのサブストリームの前記調整後の解像度よりも高い、前記提供すること；
をさらに含む、方法。
　【請求項２】
・　パノラマ映像を受信すること；
・　頭部追跡データを受信すること；
・　前記頭部追跡データに基づいて現在視野を決定すること；
・　前記現在視野に基づいて前記パノラマ映像の解像度を調整すること、但し、前記現在視野は第１の解像度であり、前記現在視野の外側の解像度は第２の解像度である、前記調整すること；
・　前記現在視野に基づいて、調整後の解像度を有する前記パノラマ映像を提供すること、但し、前記第１の解像度は前記第２の解像度よりも高い、前記提供すること；
を含む方法であって、
・　前記頭部追跡データの信頼度を決定すること；
・　前記頭部追跡データの信頼度に基づいて前記パノラマ映像の解像度をスケーリングすること；
をさらに含む、方法。
　【請求項３】
・　パノラマ映像を受信すること；
・　頭部追跡データを受信すること；
・　前記頭部追跡データに基づいて現在視野を決定すること；
・　前記現在視野に基づいて前記パノラマ映像の解像度を調整すること、但し、前記現在視野は第１の解像度であり、前記現在視野の外側の解像度は第２の解像度である、前記調整すること；
・　前記現在視野に基づいて、調整後の解像度を有する前記パノラマ映像を提供すること、但し、前記第１の解像度は前記第２の解像度よりも高い、前記提供すること；
を含む方法であって、
・　視線追跡データ受信すること；
・　前記視線追跡データに基づいて現在の焦点領域を決定すること；
・　前記現在の焦点領域に基づいて前記パノラマ映像の解像度を調整すること、但し、前記現在の焦点領域の解像度は第４の解像度であり、前記現在の焦点領域の外側の解像度は第５の解像度である、前記調整すること；
・　前記現在の焦点領域に基づいて、調整後の解像度を有するパノラマ映像を提供すること、但し、前記第４の解像度は前記第５の解像度よりも高い、前記提供すること；
をさらに含む、方法。
　【請求項４】
・　前記頭部追跡データに基づいて予測視野を決定すること；
・　前記予測視野に基づいて前記パノラマ映像の解像度を調整すること、但し、前記予測視野の解像度は第３の解像度である、前記調整すること；
・　前記予測視野に基づいて、調整後の解像度を有する前記パノラマ映像を提供すること、但し、前記第３の解像度は前記第１の解像度よりも低く、前記第２の解像度よりも高い、前記提供すること；
をさらに含む、請求項１から３のいずれかに記載の方法。
　【請求項５】
・　前記予測視野にある少なくとも１つのサブストリームを決定すること；
・　前記予測視野にある前記少なくとも１つのサブストリームの解像度を調整すること、但し、前記予測視野にある前記少なくとも１つのサブストリームの調整後の解像度は、前記現在視野および前記予測視野の外側にある前記少なくとも１つのサブストリームの前記調整後の解像度よりも高く、前記現在視野にある前記少なくとも１つのサブストリームよりも低い、前記調整すること；
をさらに含む、請求項４に記載の方法。
　【請求項６】
・　視線追跡データを前記頭部追跡データ内にて、または前記頭部追跡データと同時に受信すること；
・　前記視線追跡データに基づいて前記スケーリングを実施すること；
をさらに含む、請求項２に記載の方法。
　【請求項７】
・　映像ストリームの待ち時間情報を決定すること；
・　前記映像ストリームの待ち時間情報に基づいて前記予測視野の寸法を制御すること；
をさらに含む、請求項４または５に記載の方法。
　【請求項８】
　前記パノラマ映像をヘッドマウントディスプレイにストリーミングすることをさらに含む、請求項
１
　【請求項９】
　前記パノラマ映像をモバイル装置にストリーミングすることをさらに含む、請求項
１
　【請求項１０】
・　前記視線追跡データに基づいて予測焦点領域を決定すること；
・　前記予測焦点領域に基づいて前記パノラマ映像の解像度を調整すること、但し、前記予測焦点領域の解像度は第６の解像度である、前記調整すること；
・　前記予測焦点領域に基づいて、調整後の解像度を有する前記パノラマ映像を提供すること、但し、前記第６の解像度は前記第４の解像度よりも低く、前記第５の解像度よりも高い、前記提供すること；
をさらに含む、請求項３に記載の方法。
　【請求項１１】
・　前記パノラマ映像を２つ以上のサブストリームに分割すること、但し、少なくとも１つのサブストリームは前記現在の焦点領域にあり、少なくとも１つのサブストリームは前記現在の焦点領域の外側にある、前記分割すること；
・　前記現在の焦点領域の外側にある前記少なくとも１つのサブストリームの解像度を調整すること；
・　前記現在の焦点領域にある前記少なくとも１つのサブストリームの解像度を調整すること；
・　前記現在の焦点領域にある前記少なくとも１つのサブストリームの調整後の解像度及び前記現在の焦点領域の外側にある前記少なくとも１つのサブストリームの調整後の解像度を有する前記パノラマ映像を提供すること、但し、前記現在の焦点領域にある前記少なくとも１つのサブストリームの前記調整後の解像度は、前記現在の焦点領域の外側にある前記少なくとも１つのサブストリームの前記調整後の解像度よりも高い、前記提供すること；
をさらに含む、請求項３または１０に記載の方法。
　【請求項１２】
・　前記予測焦点領域にある少なくとも１つのサブストリームを決定すること；
・　前記予測焦点領域にある前記少なくとも１つのサブストリームの解像度を調整すること、但し、前記予測焦点領域にある前記少なくとも１つのサブストリームの調整後の解像度は、前記現在の焦点領域および前記予測焦点領域の外側にある前記少なくとも１つのサブストリームの前記調整後の解像度よりも高く、前記現在の焦点領域にある前記少なくとも１つのサブストリームよりも低い、前記調整すること；
をさらに含む、請求項１０に記載の方法。
　【請求項１３】
・　前記視線追跡データの信頼度を決定すること；
・　前記視線追跡データの信頼度に基づいて前記パノラマ映像の前記解像度をスケーリングすること；
をさらに含む、請求項３，１０，１１，１２のうちいずれか一項に記載の方法。
　【請求項１４】
・　映像ストリームの待ち時間情報を決定すること；
・　前記映像ストリームの待ち時間情報に基づいて前記予測焦点領域の寸法を制御すること；
をさらに含む、請求項１０に記載の方法。
　【請求項１５】
・　パノラマ映像を受信する手段と、
・　頭部追跡データを受信する手段と、
・　前記頭部追跡データに基づいて現在視野を決定する手段と、
・　前記現在視野に基づいて前記パノラマ映像の解像度を調整する手段であって、前記現在視野は第１の解像度であり、前記現在視野の外側の解像度は第２の解像度である手段と、
・　前記現在視野に基づいて、調整後の解像度を有する前記パノラマ映像を提供する手段であって、前記第１の解像度は前記第２の解像度よりも高い手段と、
を備える機器であって、
・　前記パノラマ映像を２つ以上のサブストリームに分割する手段、但し、少なくとも１つのサブストリームは前記現在視野にあり、少なくとも１つのサブストリームは前記現在視野の外側にある、前記分割する手段と、
・　前記現在視野の外側にある前記少なくとも１つのサブストリームの解像度を調整する手段と、
・　前記現在視野にある前記少なくとも１つのサブストリームの解像度を調整する手段と、
・　前記現在視野にある前記少なくとも１つのサブストリームの調整後の解像度及び前記現在視野の外側にある前記少なくとも１つのサブストリームの調整後の解像度を有する前記パノラマ映像を提供する手段、但し、前記現在視野にある前記少なくとも１つのサブストリームの前記調整後の解像度は、前記現在視野の外側にある前記少なくとも１つのサブストリームの前記調整後の解像度よりも高い、前記提供する手段と、
を更に備える、機器。
　【請求項１６】
・　パノラマ映像を受信する手段と、
・　頭部追跡データを受信する手段と、
・　前記頭部追跡データに基づいて現在視野を決定する手段と、
・　前記現在視野に基づいて前記パノラマ映像の解像度を調整する手段であって、前記現在視野は第１の解像度であり、前記現在視野の外側の解像度は第２の解像度である手段と、
・　前記現在視野に基づいて、調整後の解像度を有する前記パノラマ映像を提供する手段であって、前記第１の解像度は前記第２の解像度よりも高い手段と、
を備える機器であって、
・　前記頭部追跡データの信頼度を決定する手段と、
・　前記頭部追跡データの信頼度に基づいて前記パノラマ映像の解像度をスケーリングする手段と、
を更に備える、機器。
　【請求項１７】
・　パノラマ映像を受信する手段と、
・　頭部追跡データを受信する手段と、
・　前記頭部追跡データに基づいて現在視野を決定する手段と、
・　前記現在視野に基づいて前記パノラマ映像の解像度を調整する手段であって、前記現在視野は第１の解像度であり、前記現在視野の外側の解像度は第２の解像度である手段と、
・　前記現在視野に基づいて、調整後の解像度を有する前記パノラマ映像を提供する手段であって、前記第１の解像度は前記第２の解像度よりも高い手段と、
を備える機器であって、
・　視線追跡データ受信する手段と、
・　前記視線追跡データに基づいて現在の焦点領域を決定する手段と、
・　前記現在の焦点領域に基づいて前記パノラマ映像の解像度を調整する手段、但し、前記現在の焦点領域の解像度は第４の解像度であり、前記現在の焦点領域の外側の解像度は第５の解像度である、前記調整する手段と、
・　前記現在の焦点領域に基づいて、調整後の解像度を有するパノラマ映像を提供すること、但し、前記第４の解像度は前記第５の解像度よりも高い、前記提供する手段と、
を更に備える、機器。
　【請求項１８】
　処理手段及び記憶手段を備える装置であって、前記記憶手段はプログラム命令を格納し、該プログラム命令は、前記処理手段に実行されると、前記装置に、請求項１
，８，９
　【請求項１９】
　装置の処理手段に実行されると、前記装置に、請求項１
，８，９
　【請求項２０】
　前記パノラマ映像をヘッドマウントディスプレイにストリーミングすることをさらに含む、請求項２〜７のいずれか１項に記載の方法。
　【請求項２１】
　前記パノラマ映像をモバイル装置にストリーミングすることをさらに含む、請求項２〜７のいずれかに１項に記載の方法。
　【請求項２２】
　処理手段及び記憶手段を備える装置であって、前記記憶手段はプログラム命令を格納し、該プログラム命令は、前記処理手段に実行されると、前記装置に、請求項２〜７，１０〜１４，２０，２１のいずれか１項に記載の方法を遂行させるように構成される、装置。
　【請求項２３】
　装置の処理手段に実行されると、前記装置に、請求項２〜７，１０〜１４，２０，２１に記載の方法を遂行させるように構成されるプログラム命令を備える、コンピュータプログラム。